(57)【特許請求の範囲】
【請求項１】
ボトル本体の開口部に対して取り付けられた飲料注出口を有する栓本体と、該栓本体の周方向後端部に設けられたヒンジ部と、該ヒンジ部にヒンジ軸を介して軸支され、前後方向に弧回動開閉する蓋体と、該蓋体に設けられていて、上記ヒンジ部の外周面に圧接して弧回動し、上記蓋体開閉時の制動機能を果たす制動部材とを備え、上記ヒンジ部の外形を、上記栓本体および蓋体の周方向の外形に沿わせてなる飲料用容器の栓体であって、上記制動部材が圧接する上記ヒンジ部外周面は、上記蓋体の閉状態に対応する前端側第１の面と、上記蓋体の閉状態において上記蓋体の上壁面に沿う上面側第２の面と、上記ヒンジ軸中心からの距離が上記前端側第１の面および上部側第２の面よりも大きく、制動機能を発揮する後端側第３の面と、該後端側第３の面の下部にあって前方に向けて下降傾斜し、上記蓋体の弧回動停止面を形成する第４の面により構成されていることを特徴とする飲料用容器の栓体。
【請求項２】
蓋体の上壁面がフラットであって、蓋体の上壁面に沿うヒンジ部の上面側第２の面もフラットであることを特徴とする請求項１記載の飲料用容器の栓体。
【発明の詳細な説明】
【技術分野】
【０００１】
本願発明は、ボトル本体の開口部に対して取り付けられた飲料注出口を有する栓本体、および該栓本体の周方向後端部にヒンジ部を介して軸支され、前後方向に弧回動開閉する蓋体を備えてなる飲料用容器の栓体の構造に関するものである。
【背景技術】
【０００２】
最近のステンレスボトルでは、飲料を収容するボトル本体上端側の開口部に、直飲みすることができる飲み口部を備えた栓体を嵌合するとともに、その上部を覆う蓋体を設けたものが多くなっている。
【０００３】
蓋体は、例えば上記栓体の周方向の後端部に設けられたヒンジ部により上下方向に弧回動可能に軸支されており、下方に回動した状態で上記飲み口部を覆い、かつシールする一方、上方から後方に回動した状態で上記飲み口部および飲料注出口部を開放するようになっている（たとえば、特許文献１、２を参照）。
【先行技術文献】
【特許文献】
【０００４】
【特許文献１】特開２００８−２３９１７７号公報
【特許文献２】特開２０１２−１２１６１４号公報
【発明の概要】
【発明が解決しようとする課題】
【０００５】
しかし、上記従来のヒンジ部の構造では、ヒンジ部は、あくまでヒンジ部として蓋体と独立した存在として構成されており、孤立感が高く、蓋体および栓本体とのデザイン的な一体感に欠けるものとなっている。
【０００６】
また、蓋開放位置での必要な制動機能、ストッパー機能を果たさせるために、ヒンジブラケットの後端側に大きな突出部を設ける構成が採用されていた。この突出部は、上記特許文献２の図２、図４に示されるように、ヒンジ部上面側が円弧面で、この円弧面から連続し後端部側に欠けて曲率が大きく拡大する嘴形状の凸部となっており、外観的に違和感のあるものであった。
【０００７】
さらに、蓋の開放角を大きくして、飲み口部を利用した飲みやすさを向上させるために、蓋の後端側を階段状に窪ませ、栓本体側肩部との干渉（当接）時期を遅くするなどの構成も採用されていた（同特許文献２の図４の構成を参照）。
【０００８】
これらは、何れも機能的には有益なものであるが、他方、蓋のデザインの自由度を大きく制約し、審美感のある蓋形状、蓋デザイン実現の妨げとなっていた。
【０００９】
本願発明は、このような課題を解決するためになされたもので、上記ヒンジ部の外形を、上記栓本体および蓋体の周方向の外形に沿わせ、またヒンジ部の断面形状を改良することによって、上記従来の問題を確実に解決した飲料用容器の栓体を提供することを目的とするものである。
【課題を解決するための手段】
【００１０】
本願各発明は、上記の目的を達成するために、それぞれ次のような有効な課題解決手段を備えて構成されている。
【００１１】
（１）  請求項１の発明の課題解決手段
この発明の課題解決手段は、ボトル本体の開口部に対して取り付けられた飲料注出口を有する栓本体と、該栓本体の周方向後端部に設けられたヒンジ部と、該ヒンジ部にヒンジ軸を介して軸支され、前後方向に弧回動開閉する蓋体と、該蓋体に設けられていて、上記ヒンジ部の外周面に圧接して弧回動し、上記蓋体開閉時の制動機能を果たす制動部材とを備え、上記ヒンジ部の外形を、上記栓本体および蓋体の周方向の外形に沿わせてなる飲料用容器の栓体であって、上記制動部材が圧接して弧回動する上記ヒンジ部外周面は、上記蓋体の閉状態に対応する前端側第１の面と、上記蓋体の閉状態において上記蓋体の上壁面に沿う上面側第２の面と、上記ヒンジ軸中心からの距離が上記前端側第１の面および上面側第２の面よりも大きく、制動機能を発揮する後端側第３の面と、該後端側第３の面の下部にあって前方に向けて下降傾斜し、上記蓋体の弧回動停止面を形成する第４の面により構成されていることを特徴としている。
【００１２】
以上のような構成によると、ヒンジ部の周方向の外形を栓本体および蓋体の周方向の外形に沿わせた構成としているために、ヒンジ部と蓋体が外観上一体となり、従来のようなヒンジ部の孤立感、デザイン疎外感が確実に解消される。
【００１３】
一方、蓋体側には、ヒンジ部の外周面に圧接して弧回動し、蓋体開閉時の制動機能を果たす制動部材が設けられており、該制動部材が圧接するヒンジ部の外周面は、上記蓋体の閉状態に対応する前端側第１の面と、上記蓋体の閉状態において上記蓋体の上壁面に沿う上面側第２の面と、上記ヒンジ軸中心からの距離が上記前端側第１の面および上面側第２の面よりも大きく、制動機能を発揮する後端側第３の面と、該後端側第３の面の下部にあって前方に向けて下降傾斜し、上記蓋体の弧回動停止面を形成する第４の面により構成されている。
【００１４】
このような構成の場合、上記ヒンジ部の周方向の外形に加えて、同ヒンジ部上面の第２の面の形状が上記蓋体の上壁面に沿っているので、よりヒンジ部と蓋体が外観上一体となり、従来のようなヒンジ部の孤立感、デザイン疎外感がより確実に解消される。
【００１５】
また、同構成の場合、前方から後方に開放された蓋体が後端側第３の面までスムーズに弧回動し、制動面である同後端側第３の面で確実に制動力が掛けられて回動慣性を喪失し、やがて同第３の面を超えて、弧回動停止面である第４の面で確実、かつスムーズに停止され、安定した開放状態に維持される。
【００１６】
すなわち、ヒンジ部は、全体として、上記のように栓本体および蓋体の周方向の外形に沿う見栄えの良い形状でありながら、蓋体側の制動部材が圧接する外周面の形状は、停止面である第４の面の直前の後端側第３の面で確実に制動力が作用する形状になっていることから、ヒンジ部上面側が円弧面で後部側に欠けて曲率が大きく拡大する従来のような嘴形状の凸部を設けることなく、ヒンジ部後面側全体にわたって有効な制動効果を実現することができ、スムーズ、かつ安定した蓋の開放を実現することができる。そのため、有効な制動力を得ながら、ヒンジ部と蓋体および栓本体との連続感、一体感のあるデザインを実現することができる。
【００１７】
また、最終的な弧回動停止面である第４の面は、上記制動面である第３の面の下部にあって、上記第３の面により十分に制動され、弧回動慣性が消失した蓋体の制動部材をソフトに受け止めて、最終的な蓋開放状態に維持するようになっている。したがって、蓋体の停止もスムーズで、ヒンジ部の耐久性も向上する。
【００１８】
さらに、同最終的な弧回動停止面である第４の面は、特に前方に向けて下降傾斜しているので、より大きな蓋開放角のより安定した蓋開放状態を確実に実現することができる。その結果、栓本体に飲み口部を設けた場合にも、蓋体裏面に鼻などが当たることなく、使用感が良好となる。
【００１９】
（２）  請求項２の発明の課題解決手段
この発明の課題解決手段は、上記請求項１の発明の課題解決手段の構成において、蓋体の上壁面がフラットであって、蓋体の上壁面に沿うヒンジ部の上面側第２の面もフラットであることを特徴としている。
【００２０】
このような構成によると、栓本体および蓋体の周方向の外形形状に加えて、さらに上壁面がフラットな蓋体とヒンジ部上面との連続的な一体感が実現される。
【発明の効果】
【００２１】
以上の結果、本願発明によれば、従来のものに比べて遥かにデザイン性、機能性に優れた栓体を提供することが可能となる。
【図面の簡単な説明】
【００２２】
【図１】本願発明の実施の形態に係る飲料容器の栓体部分を含めた全体の正面側右斜め方向から見た外観斜視図である。
【図２】同飲料容器の栓体部分を含めた全体の内部構造を示す縦断面図である。
【図３】同飲料容器の栓体部分の外観構造を示す蓋閉状態の側面図である。
【図４】同飲料容器の栓体部分の外観構造を示す蓋閉状態の正面図である。
【図５】同飲料容器の栓体部分の外観構造を示す蓋閉状態の背面図である。
【図６】同飲料容器の栓体部分の外観構造を示す蓋閉状態の平面図である。
【図７】同飲料容器の栓体部分の外観構造を示す蓋閉状態の正面側右斜め方向からの斜視図である。
【図８】同飲料容器の栓体部分の外観構造を示す蓋閉状態の背面側右斜め方向からの斜視図である。
【図９】同飲料容器の栓体部分の外観構造を示す蓋開状態の側面図である。
【図１０】同飲料容器の栓体部分の構造を示す蓋開状態の斜視図である。
【図１１】同飲料容器の栓体の蓋下面側部分の構造を示す斜視図である。
【図１２】同飲料容器の栓体の蓋上面側部分の構造を示す斜視図である。
【図１３】同飲料容器の栓体の正面側開閉レバーを取り除いた状態における蓋内部の構造を示す正面右斜め方向から見た斜視図である。
【図１４】同飲料容器の栓体の蓋カバー部分の構造を示す背面側下方から見た斜視図（開閉レバー上昇状態）である。
【図１５】同飲料容器の栓体の蓋カバー部分の構造を示す背面側下方から見た斜視図（開閉レバー下降状態）である。
【図１６】同飲料容器の栓体の蓋カバー部分の上下を逆にして示す背面側下方から見た斜視図（開閉レバー下降状態）である。
【図１７】同飲料容器の栓体の要部の断面構造を示す拡大断面図である。
【図１８】同飲料容器の栓体の要部であるロック機構各部分の構造を示す分解斜視図である。
【図１９】同飲料容器の栓体の要部である開閉レバーの前面側の構造（ａ）および背面側の構造（ｂ）をそれぞれ示す拡大斜視図である。
【図２０】同飲料容器の栓体の要部であるスライドレバーの正面側構造（ａ）、背面側構造（ｂ）、下面側構造（ｃ）をそれぞれ示す拡大斜視図である。
【図２１】同飲料容器の栓体部分の開閉レバー非操作状態（ロック状態）における構成を示す断面図である。
【図２２】同飲料容器の栓体の開閉レバーを押圧下降させた状態（第１の押圧操作状態）における構成を示す断面図である。
【図２３】同飲料容器の栓体の開閉レバーを栓体後方に押圧操作した状態（第２の押圧操作状態）における構成を示す断面図である。
【図２４】同飲料容器の栓体において、蓋開放時における制動部材の作用を説明する断面図である。
【図２５】同飲料容器の栓体において、最終的に蓋が開放された状態を示す断面図である。
【発明を実施するための形態】
【００２３】
以下、添付の図面を参照して、本願発明に係る飲料用容器の栓体の実施の形態について説明する。
【００２４】
まず図１および図２には、本願発明の実施の形態に係る飲料用容器の栓体のボトル本体を含む全体的な構成が、また図３〜図２５には、同栓体の全体および要部の構成がそれぞれ示されている。
【００２５】
この実施の形態では、飲料容器の一例として、保温機能の高い真空二重容器よりなるステンレスボトルが採用されている。
【００２６】
このステンレスボトルのボトル本体１は、例えば図１および図２に示すように、有底筒状構造のステンレス製の内容器１ａと同じく有底筒状構造で、内容器１ａよりも大径のステンレス製の外ケース１ｂとからなり、それら各容器１ａ、１ｂの上端側開口縁部２ａ、２ｂ同士を相互に接合一体化することによって、上端側に開口部３を有する真空断熱構造のボトルが形成されている。  このボトル本体１の開口部３には、外周側に位置して段部構造の肩部３ｃが、また内周側に位置して螺合溝部３ｄ及び小径のネック部３ｅが設けられている。そして、同開口部３に対して、次に述べるような、栓本体４、栓カバー５、蓋６、蓋カバー７よりなる栓体１０が着脱自在に取り付けられている。
【００２７】
栓本体４は、栓パッキンの嵌合部４１ａ、上記ボトル本体１の開口部３の螺合溝部３ｄへの螺合溝部４１ｂを備え、栓パッキンの嵌合部４１ａの外周に嵌合された栓パッキン４１ｃ、ボトル本体１の開口部３の螺合溝部３ｄへの螺合溝部４１ｂを介して上記ボトル本体１の開口部３に螺合される注出口形成用の筒体部４１と、この筒体部４１の上部側に一体に設けられた皿状の飲み口部４２とからなり、上記筒体部４１の上端と飲み口部４２の底部との間には蓋６側に取り付けられた飲み口パッキン６６第１のゴム製パッキン６６ａのシール用座面を形成する水平方向の仕切り壁４３が設けられ、同仕切り壁４３の中央部に飲料注出用の楕円形上の開口４３ａが開口されている。
【００２８】
飲み口部４２は、口付け部となる開口縁部が略垂直であるが、全体に亘って同一の高さの筒状壁ではなく、口付け部となる前部側が高く、後端側に行くにしたがって水平壁面に近くなるテーパー面形状の開口面を有する筒部壁となっている。そして、上記飲み口部４２の高さの高い前端部の下部位置には、後述する蓋６側に設けられたロックレバー８４の鉤状の係合片８４ａが着脱可能に係合する係合溝５６が設けられている。また、この飲み口部４２内の注出口４３ａは、例えば図１０に示されるように、栓本体４の略中央部にあり、飲み口部４２は、同注出口４３ａを囲む形で設けられているが、該飲み口部４２の平面形状は、後端側で口径が少し拡大され、かつ略半円形状にカットされて、後端側に後述するヒンジブラケット５３，５３を設置できるスペースを形成している。
【００２９】
この栓本体４の上記筒体部４１と飲み口部４２との間の外周には、上記飲み口部４２の形状に対応した所定の外径の栓カバー嵌合用のフランジ部４４が設けられており、このフランジ部４４に対して、栓本体４の筒体部４１外周を覆う栓カバー５が上方側から嵌合一体化されている。この栓カバー５は、上記栓本体４の筒体部４１のフランジ部４４外周に嵌合される外径寸法を有した円形の水平壁部５１と、該水平壁部５１の外周端から下方に筒状に延びた側壁部５２と、上記飲み口部４２の後部形状に対応して上記水平壁部５１の上部後端に位置して左右に一対設けられたヒンジブラケット５３，５３とからなり、上記栓本体４に固定された状態で後述するヒンジ軸５４を介して蓋６及び蓋カバー７が前後方向に弧回動開閉可能に軸支されるようになっている。上記筒状の側壁部５２は、上記栓本体４がボトル本体１の開口部３に螺合固定された状態においては、その下部が上記ボトル本体開口部３の肩部に対応して嵌合され、ボトル本体１の開口部３をもカバーするようになっている。
【００３０】
ヒンジブラケット５３，５３は、上記飲み口部４２の後部カット形状に対応して、全体として円形の水平壁部５１の後端より所定寸法前側に位置して設けられており、それによって上記栓カバー５の外周円範囲内に収まる状態で斜め後方に所定の高さ起立せしめられている。
【００３１】
他方、蓋６は、例えば図１１に示されるように、上記飲み口部４２の略半円形状の円筒形状（後部カット形状）に対応して、その後端側にヒンジ部６３，６３の形成スペースおよび栓カバー側ヒンジブラケット５３，５３の嵌合スペース（連結用開口部）を形成した形状及び構造となっており、上記飲み口部４２の外周に嵌合し得る外径の天壁部６１および筒状の側壁部６２を備えた浅い円筒形状に形成されている。そして、その後端側左右のヒンジブラケット部６３，６３を上述したヒンジ軸５４を介して上記栓カバー５のヒンジブラケット５３，５３の両側に弧回転可能に軸支されている。
【００３２】
この場合、上記栓カバー５側のヒンジブラケット５３，５３の外周には、当該蓋６を、例えば図９および図１０のように、後端側水平状態より下方に大きく開放させるためのコイルバネが各々巻装されており、蓋６は、後述する開閉レバー８１により、ロックレバー８４を介した栓本体４側係合溝５６との係合が解除されると、自動的に図９および図１０のように開放される。
【００３３】
上記コイルバネを巻装したヒンジブラケット５３，５３部分およびそれらの間の全体には、例えば図５、図８、図１０に示されるように、それらの全体が見えないようにカバーするヒンジカバーがヒンジブラケット５３，５３と同様に栓カバー５の水平壁５１部分に一体成型されている。このヒンジカバー部分は、例えば図６の平面図から明らかなように、栓本体４に対して蓋６を閉じたロック状態において、後述する蓋外周面の蓋カバー７の天壁部７１および側壁部７２外周面と略同一の円形で連続する外周面を形成するように、左右方向および前後方向共に柔らかな曲面に形成されている。
【００３４】
なお、説明を簡単にするために、以下では、これらヒンジブラケット５３，５３及びヒンジカバーを機能上一体として考える場合には、ヒンジ部５５と表現することにする。
【００３５】
また、上記蓋６の天壁部６１の中央部下面には、下方に延びる小径筒状の飲み口パッキン取り付け部６４が設けられており、この飲み口パッキン取り付け部６４に対して、上記飲み口部４２の飲料注出口４３ａをシールする有底筒状の第１のゴム製パッキン部６６ａと飲み口部４２の上端側上記テーパー面形状の開口面全体をシールするフラットな第２のゴム製パッキン６６ｂとからなるゴム製の飲み口パッキン６６が下方側から着脱可能に嵌合されている。蓋６の平面形状は、上記覆うべき飲み口部４２の形状に対応して後方に向けて外径を拡大した略半円状の形状となっている。
【００３６】
また、この蓋６の筒状の側壁部６２の下端外周には、所定の幅のフランジ部６２ａが周方向に亘って一体に成型されており、このフランジ部６２ａを利用して、このフランジ部６２ａの外周に、次に述べる外装体である蓋カバー７が一体に嵌合されるようになっている。なお、蓋カバー７は、閉状態において、上記栓カバー５と等径の連続感のある正円筒を形成するように、正円形状となっている。したがって、該蓋カバー７を嵌合一体化する上記フランジ部６２ａの外径は、後端側のヒンジカバー５５（ヒンジブラケット５３，５３）との対応部（コの字状の切り欠き部を形成）を除いて、基本的に正円形状となっている。そして、その前端側所定幅部分は、例えば図１０、図１７に示すように、上方側に高くなっており、同部分には、後述するロックレバー８４の下端側係合片８４ａを下方に臨ませ、上記飲み口部４２の下部に設けた係合溝５６に係合させるための開口６７が設けられている。
【００３７】
このため、同開口６７の前後方向の開口幅は、当該ロックレバー８４の係合片８４ａが栓体前方に回動して、係合溝５６内に係合し、また栓体後方に回動して、ロック解除されて係合溝５６外部にリリースできるに十分なものとなっている。
【００３８】
すなわち、この蓋６の前端部には、例えば図１８から明らかなように、左右に所定の間隔を置いて、レバーピン挿通孔６８ａ，６８ａを備えたレバーピン軸支ブラケット６８，６８が設けられており、これらレバーピン軸支ブラケット６８，６８間にレバーピン９０を挿通支持することによって上記ロックレバー８４が前後方向に弧回転可能に軸支されるようになっている。そして、このロックレバー８４の下端側係合片８４ａが、図１０、図１７のように、上記フランジ部６２ａの前端部側の開口６７から下方に臨まされるようになっている。
【００３９】
また、該蓋６の側壁部６２前端の上記レバーピン軸支ブラケット６８，６８間中央部位置には、後述するロックレバーレバースプリング８５の一端（後端）を前後方向に支持する筒状のボス部６９が設けられており、該ボス部６９とロックレバー８４の上端側押圧片８４ｂ背面側凸状のボス部８４ｄとの間に所定の付勢強度のロックレバーレバースプリング８５を設けることにより、ロックレバー８４の係合片８４ａが常時上記飲み口部材４２側のロックレバー係合溝５６内に係合する方向に付勢している（図１７の構成を参照）。
【００４０】
この場合、上記ロックレバー８４の上端側押圧片８４ｂの後端は、蓋６のロック状態では、図１７および図２１から明らかなように、後述する蓋体の開閉レバー８１の前面（内面）に当接して後方側への移動が規制されており、開閉レバー８１も上方側から垂直方向下方に押圧操作されないので、ロックレバー８４は安定したロック状態に維持される。
【００４１】
また、上記蓋６の側壁部６２前端の上記レバーピン軸支ブラケット６８，６８の両側には、後述するスライド部材８２をスライド自在に遊嵌するための上下方向のスライド溝６０ａ，６０ａを備えたスライド部材指示ブラケット６０，６０が設けられている。
【００４２】
さらに、上記蓋カバー７は、上記蓋６の外周をカバーする平面視正円形の天壁部７１および同天壁部７１外周から下方に延びた筒状の側壁部７２を備えた浅い筒状体よりなり、その前端側には、その天壁部７１から側壁部７２にかけて後述する開閉レバー嵌合口７１ａ，７２ａ、後端側には、その天壁部７１から側壁部７２にかけてヒンジ部嵌合口７１ｂ,７２ｂが、それぞれ設けられている。また、開閉レバー嵌合口７２ａの両側壁部の裏面側には、たとえば図１４〜図１６に示すように、上下方向に延びる開閉レバー８１のガイド溝７３，７３が設けられている。
【００４３】
そして、上記開閉レバー嵌合口７１ａ，７２ａには、たとえば蓋カバー７の蓋６への組み付け前の段階で、開閉レバー８１が上記ガイド溝７３，７３を利用して上下方向に摺動可能な状態で嵌合される。この嵌合は、上記天壁部７１側の嵌合口７１ａ側に押圧部８１ａが嵌り込み、上記側壁部７２側の嵌合口７２ａ側にカバー部８１ｂ両側の回動軸８１ｃ,８１ｃおよびガイドリブ８１ｄ,８１ｄが沿わされる形で嵌合される。
【００４４】
そして、このように開閉レバー８１を嵌合した蓋カバー７が、図１８に示す、スライド部材８２、スライドスプリング８３，８３、ロックレバー８４、ロックレバースプリング８５、ヒンジピン９０、ヒンジ軸５４、ヒンジバネ（図示省略）等が組み付けられた蓋６の上部側に対して、その外周側のフランジ部６２ａを利用して嵌合され、一体化される。これによって、後述するような有益な作用を果たすオートロック機構を備えた蓋体が形成される。
【００４５】
この蓋カバー７も、やはり上記蓋６の場合と同様に、全体として前端側の高さが高く、後端側に行くに従って高さが低くなるテーパー面構造の筒状体に形成されている。そして、その筒状の側壁部７２の前端部と上記内側の蓋６の側壁部６２の前端部との間には、上記蓋６の後方に向けて外径を拡大した略半円状の形状（飲み口部４２に対応した形状）と上記蓋カバー７の正円形状との形状差から、左右および前後に亘って所定の大きさの隙間が形成されており、この隙間を利用して蓋６を開閉するための操作方向を異にする２段モーション型のオートロック機構が設けられている。
【００４６】
このロック機構は、図１７および図１８に詳細に示されるように、上方から下方に押圧操作される開閉レバー８１と、該開閉レバー８１の押圧操作に応じて上下方向にスライド（昇降）する左右方向に長いスライド部材８２と、このスライド部材８２を常時上昇方向に付勢支持する左右一対のスライドスプリング８３，８３と、蓋６を閉状態にロックするとともに必要に応じてロック状態を解除するロックレバー８４と、このロックレバーを常時ロック方向に付勢するロックレバースプリング８５とから構成されている。
【００４７】
開閉レバー８１は、図６、図７、図１７〜図１９に示すように、上記蓋カバー７の天壁部７１の前端部の円弧部の一部を形成する少し前方に向けてアール面上に膨らんだ上方から下方への押圧部（押圧操作部）８１ａおよび側壁部７２の前端部の円弧部の一部を形成するカバー部８１ｂからなり、カバー部８１ｂの左右両側部には回動軸（下側）８１ｃ,８１ｃおよびガイドリブ（上側）８１ｄ,８１ｄが設けられている。そして、それら回動軸８１ｃ,８１ｃおよびガイドリブ８１ｄ,８１ｄを介して、次に述べるスライド部材８２に対して前後方向に弧回転可能な状態で係合支持され、かつ同状態で、上記蓋カバー７の天壁部７１前端部から側壁部７２前端部の下部側にかけて所定の幅で上下に長く開口された開閉レバー嵌合口７１ａ，７２ａ部分に略同一面状態で遊嵌され、上記ガイドリブ８１ｄ,８１ｄによりガイドされながら、次に述べるスライド部材８２と共に上下に昇降するとともに、上方から下方に押圧されて下降した位置で上記押圧部８１ａ部分が栓体後方に押圧されると、上記回動軸８１ｃ,８１ｃを回動軸として所定角後方に回動し、上記ロックレバースプリング８５の付勢力に抗して、後述するロックレバー８４のロック解除片８４ｂを後方に押圧傾動させて上記ロックレバー８４の係合片８４ａと上記飲み口部４２側の係合溝５６との係合を解除し、図９、図１０に示すように蓋６を開放するようになっている。
【００４８】
すなわち、同構成では、まず開閉レバー８１が、上記蓋カバー７の天壁部７１の前端部の円弧部の一部を形成する少し前方に向けてアール面上に膨らんだ上方から下方への押圧部（押圧操作部）８１ａと側壁部７２の前端部の円弧部の一部を形成するカバー部８１ｂとからなっており、同押圧部８１ａが垂直方向下方に押圧操作されていない蓋ロック状態では、例えば図２１のように蓋カバー７の天壁部７１および側壁部７２の前端部の相互に連続する一部を形成している。
【００４９】
ところが、この状態から開閉レバー８１の前方に向けてアール面上に膨らんだ上方から下方への押圧部（押圧操作部）８１ａが押圧されて、たとえば図２２に示すように、同開閉レバー８１が上記開閉レバー嵌合口７２ａの下端まで下降すると、該開閉レバー８１の押圧部８１ａ後端の上記蓋カバー７の天壁部７１の開閉レバー嵌合口７１ａの開口端部との隣接状態が解かれ、ロックレバー８４をロック状態に付勢しているロックレバースプリング８５の付勢力に抗して、ロックレバー８４のロック解除片８４ｂ部分を、例えば図２３に示すように、栓体の後方に押すことができ、上記ロックレバー８４の係合片８４ａと上記飲み口部４２側係合溝５６との係合を解除して、上記図９、図１０に示すように蓋６を開放することができる。
【００５０】
そして、一旦蓋６が開放されると、上記開閉レバー８１は、上記ロックレバースプリング８５およびスライドスプリング８３，８３の付勢作用で元の状態に戻り、蓋６が閉められると、再び図２１の蓋ロック状態を実現する。
【００５１】
なお、この開閉レバー８１が遊嵌されている上記蓋カバー７の側壁部７２側の開閉レバー嵌合口７２ａ下部部分は、たとえば蓋６がロック状態にある時には、図１、図３、図４、図１７に示すように、上記開閉レバー８１が上端側にあるため、所定上下幅（下降ストローク寸法分）だけ開口していて、内側のスライド部材８２の本体前面８２ａが外から見えるようになっている。したがって、同スライド部材８２の本体前面８２ａ部分の色を赤くするなどすると、同部分の色からロック状態であることが分かるようになる。
【００５２】
ところで、上記スライド部材８２は、例えば図１８および図２０の（ａ）〜（ｃ）に示すように、左右に所定の長さを有する円弧状の本体部材８２ａからなり、その左右両端部８２ｂ,８２ｂの上部には、上記開閉レバー８１両側の回動軸８１ｃ,８１ｃを回動可能に嵌合支持する軸受部８２ｃ,８２ｃが、また同外端部には、上記蓋６に設けられたスライド部材指示ブラケット６０，６０のスライド溝６０ａ，６０ａ内に遊嵌されるスライドリブ８２ｄ,８２ｄが設けられている。
【００５３】
そして、上記軸受部８２ｃ,８２ｃに上記開閉レバー８１両側の回動軸８１ｃ,８１ｃを嵌合することによって、上記開閉レバー８１が昇降可能、かつ後方に弧回動可能に支持され、さらに、上記スライド部材８２は、下部側に上記左右一対のスライドスプリング８３，８３を介して、それらスライドリブ８２ｄ,８２ｄが上記スライド部材指示ブラケット６０，６０のスライド溝６０ａ，６０ａ内に遊嵌され、常時上方に付勢された状態、すなわち、図７、図１７、図２１の上記開閉レバー８１の押圧部８１ａ上端が上記蓋カバー７の天壁部７１の外周部と同一面を形成する非押圧状態（ロックレバー８４のロック状態）に維持されるようになっている。
【００５４】
また、同スライド部材８２の下面側には、上記スライドスプリング８３，８３の上端側が嵌合される第１のボス部８２ｆ,８２ｆが、また蓋６のフランジ部６２ａ側には、上記スライドスプリング８３，８３の下端側が嵌合される第２のボス部（図示省略）が設けられ、それらの間に上記スライドスプリング８３，８３が保持されている。
【００５５】
このように、開閉レバー８１は、常時上昇方向に付勢支持された昇降自在なスライド部材８２に対して回動軸８１ｃ，８１ｃを介して上下方向に昇降可能、かつ前後方向に回動可能に係合状態で支持されており、上記上方から垂直方向下方への押圧操作によってスライド部材８２と共に下降し、該下降状態においては、スライド部材８２とは関係なく独自に前方から後方に押圧回動して、ロッククレバー８４のロックを解除するようになっている。
【００５６】
そして、ロック解除後、開閉レバー８１がロックレバースプリング８５により栓体後方に戻されると、同開閉レバー８１は、スライドスプリング８３，８３により、スライド部材８２と共に再び元の蓋６の最上端位置に自動的に戻されて、安全ロック設定状態となる。
【００５７】
このような構成によると、安全ロック解除、安全ロック設定のための開閉レバー８１の上下方向の昇降動作と、メインロック解除、メインロック設定のための開閉レバー８１の前後方向の回動動作との２つの異なる動作が、ロックレバー８４のロック状態、ロック解除状態に関係なく実現される。
【００５８】
すなわち、上記開閉レバー８１の上方から下方への押圧操作、前方から後方への押圧操作が、それぞれロックレバー８４と機械的に連系することなく、独立した形で実現されている。
【００５９】
したがって、開閉レバー８１は、スライドスプリング８３，８３により常時上昇方向に付勢支持されたスライド部材８２により、ロックレバー８４のロック状態、ロック解除状態と関係なく昇降可能となり、上記安全ロック解除のための上方から下方への第１の押圧操作により下降して安全ロックを解除し、さらに第２の押圧操作により栓体後方に回動してロックレバー８４のロックを解除すると、その後はスライド部材８２（スライドスプリング８３，８３）により自動的に元の上昇位置に復帰し、ロックレバー８４のロック状態、ロック解除状態の如何に関係なく、安全ロックを設定した状態となる。そのため、より安全ロック機能が高くなる。
【００６０】
また、以上の構成では、そのような作用を果たすスライド部材８２やスライドスプリング８３，８３、ロックレバー８４、ロックレバースプリング８５、ロックレバーピン９０等のロック機構を構成する主要な部品およびヒンジ軸５４、ヒンジバネ等を先ず蓋６側に組み付けておき、その上で同蓋６に対して開閉レバー８１を嵌合した蓋カバー７を嵌合（無理嵌め）するだけで、ロック機構やヒンジバネを内装した蓋体を構成することができるので、組み付けが容易になる。
【００６１】
また、ヒンジ部には、ヒンジブラケット５３，５３およびヒンジ軸５４、ヒンジバネを覆うヒンジカバー５５が設けられ、ヒンジ軸５４、ヒンジバネ等が外部から見えないように構成されている。したがって、蓋６との連続感、一体感がより高くなる。
【００６２】
ところで、上記のような飲料容器の蓋開閉用のヒンジ部の構造に関し、従来のヒンジ部の構造では、あくまでもヒンジ部はヒンジ部として蓋体の形状やデザインとは別の独立した存在として構成されており、孤立感が高く、蓋体および栓本体とのデザイン的な一体感に欠けるものとなっていた。
【００６３】
また、蓋開放位置での必要な制動機能、ストッパー機能を果たさせるために、ヒンジブラケットの後端側に大きな突出部を設ける構成が採用されていた。この突出部は、ヒンジ部上面側が円弧面で、この円弧面から連続し後端部側に欠けて曲率が大きく拡大する嘴形状の凸部となっており、外観的に違和感のあるものであった。
【００６４】
さらに、蓋の開放角を大きくして、飲み口部を利用した飲みやすさを向上させるために、蓋の後端側を階段状に窪ませ、栓本体側肩部との干渉（当接）時期を遅くするなどの構成も採用されていた。
【００６５】
これらは、何れも機能的には有益なものであるが、他方、蓋のデザインの自由度を大きく制約し、審美感のある蓋形状、蓋デザイン実現の妨げとなっていた。
【００６６】
そこで、この実施の形態では、まず図６に示すように、上記ヒンジブラケット５３，５３およびヒンジカバーよりなるヒンジ部５５部分の全体の形状（外周面の形状）を蓋カバー７外周の円弧形状（曲率）に近い太鼓胴形状にするとともに、蓋カバー７側のヒンジ部嵌合口７１ｂの平面視形状も同様の対応した凹型円弧形状のものに形成している。そして、それらにより蓋カバー７との連続感、一体感を効果的に実現している。
【００６７】
また、同ヒンジ部５５は、平面方向に見て、完全に栓カバー５及び蓋カバー７の外径エリア内に収められる形でレイアウトされているとともに、左右両端側では、同様に両端側が円弧形状に形成された蓋６側ヒンジブラケット６３，６３ととともに、蓋カバー７の外周形状に沿う外形のものとなっている。
【００６８】
このような構成によると、ヒンジ部５５と蓋６が外観上一体となり、従来のようなヒンジ部の孤立感、デザイン疎外感が確実に解消される。
【００６９】
また、そのような構成に加えて、蓋６側の制動部材６１ａが圧接するヒンジ部５５（ヒンジブラケット５３，５３およびヒンジカバー部分）の断面形状（外周面形状）を、たとえば図１７の拡大断面図に示すように、ヒンジ部５５のヒンジ軸５４中心からの距離Ｒを、第１の面（前端面）５３ａ側では小さく、第３の面（後端部面）５３ｃ側で所定寸法大きくしており（Ｒ１＜Ｒ２）、それによって第３の面（後端部面）のみで十分な制動力（制動部材６１ａによる有効な圧接力）が作用するように構成している。しかも、この第３の面５３ｃの上下幅は、蓋６及び蓋カバー７後端の上下幅に合わせた小さい上下幅のもの（部分的な制動用のアール面）となっている。
【００７０】
このような構成によると、ヒンジ部５５の後端部に、従来のような、ヒンジ部上面側が円弧面で、この円弧面から連続し後端部側に欠けて曲率が大きく拡大する嘴形状の大きな凸部を設けることなく、上下幅の小さいヒンジ部５５の後端部面全体（部分的なアール面全体）にわたって有効な制動効果を実現することができ、スムーズな蓋６の開放を実現することができる。したがって、従来の外観的な違和感を解消することができる。
【００７１】
なお、この実施の形態の場合、第２の面（上部面）５３ｂである上面側は、特に蓋カバー７の上面に沿ったフラット面に形成されており、それによって、より蓋カバー７上面との連続感、一体感を実現している。上記のような構成の場合、このような効果も実現しやすくなる。
【００７２】
また、上記制動機能を果たす第３の面（後端部面）５３ｃも、従来のような上部側円弧面から次第に曲率を大きくして後方に長く延びる嘴形状の凸部ではなく、上部側第２の面５３ｂがフラットで、上下幅を含めた全体として、上記蓋カバー７の側壁部７２の形状に沿う形状のものに形成されており、それによって同側壁部７２との連続感、一体感を実現している。これにより、背面側からの見栄えが大きく向上している（図８参照）。この場合、上記Ｒ１、Ｒ２は、以上のような上下に幅の狭い部分的なアール面でも、有効に制動効果をあげられるような寸法関係に設定される。
【００７３】
また、停止面である第４の面５３ｄも、側面から見て、蓋６および蓋カバー７の前方への傾斜角に沿った傾斜角の傾斜面に形成されている。そのため、この点でも、より蓋６および蓋カバー７との連続感、一体感が実現されている。
【００７４】
一方、ヒンジ部５５とは別に、上記栓本体４側栓カバー５天壁部５１の後端側は、ヒンジ部５５の設置位置より後面側が、後方に向けて下降傾斜する傾斜面５０に形成されている。
【００７５】
このような構成によると、上記のように、第３の面（制動面）５３ｃの作用により、ヒンジ部５５の後端側に従来のような曲率の異なる大きな突出部を設けることなく、ヒンジ部５５の上下幅の狭い後端部面のみで有効な制動効果を実現することができることと相俟って、たとえば図２５に示すように、より大きな蓋開放角を得ることができる。その結果、栓本体に飲み口部４２を設けた場合にも鼻が当たりにくく、使用感が良くなる。
【００７６】
また、そのように水平状態よりも下方に大きく開放されるようにしたとしても、上記最も制動力が大きくなる第３の面（制動弧面）５３ｃが直前にあり、しかも、そこでは、それまでに比べてヒンジ軸５４中心からの距離Ｒが有効に大きくなり、十分に制動された形で最終開放角位置に停止するので、同最終開放角位置に到達した時のヒンジ部５５部分に作用する慣性負荷も小さくて済む。そのため、ヒンジ部５５の耐久性を向上させることができ、また作動性の良いヒンジバネの採用が可能となる。
【００７７】
これらの結果、同構成によれば、従来のものに比べて遥かにデザイン性に優れた栓体を提供することが可能となる。また、開閉機能、制動機能をも向上させることができる。
【００７８】
なお、以上の説明では、ヒンジ部５５の外周面形状の前端部面側を第１の面５３ａ、上部面側を第２の面５３ｂ、後端部面側を第３の面５３ｃ、後端部面側下部を第４の面５３ｄとし、後端部面側第３の面５３ｃのみを制動部材６１ａによる制動面としている。
【００７９】
このため、第１、第２、第４の各面５３ａ、５３ｂ、５３ｄでは、制動部材６１ａとヒンジ部５５とを圧接させなくても済む様になり、制動部材６１ａに常時圧接負荷がかからず、耐久性が向上する。
【符号の説明】
【００８０】
１はボトル本体、３は開口部、４は栓本体、５は栓カバー、６は蓋、７は蓋カバー、１０は栓体、４１は筒体部、４２は飲み口部、５３はヒンジブラケット、５３ａは第１の面、５３ｂは第２の面、５３ｃは第３の面（制動面）、５３ｄは第４の面（停止面）、５５はヒンジ部、５６はロックレバーの係合溝、８１は開閉レバー、８２はスライド部材、８４はロックレバーである。
【図１】
0006638490.tif 000002
【図２】
0006638490.tif 000003
【図３】
0006638490.tif 000004
【図４】
0006638490.tif 000005
【図５】
0006638490.tif 000006
【図６】
0006638490.tif 000007
【図７】
0006638490.tif 000008
【図８】
0006638490.tif 000009
【図９】
0006638490.tif 000010
【図１０】
0006638490.tif 000011
【図１１】
0006638490.tif 000012
【図１２】
0006638490.tif 000013
【図１３】
0006638490.tif 000014
【図１４】
0006638490.tif 000015
【図１５】
0006638490.tif 000016
【図１６】
0006638490.tif 000017
【図１７】
0006638490.tif 000018
【図１８】
0006638490.tif 000019
【図１９】
0006638490.tif 000020
【図２０】
0006638490.tif 000021
【図２１】
0006638490.tif 000022
【図２２】
0006638490.tif 000023
【図２３】
0006638490.tif 000024
【図２４】
0006638490.tif 000025
【図２５】
0006638490.tif 000026